(57)【特許請求の範囲】
【請求項１】
非連続受信用のデータ伝送方法であって、
端末装置が、少なくとも１つのダウンリンク受信ビームにおける各ダウンリンク受信ビームによって受信され、ネットワーク装置によって送信された第１の信号を測定し、前記少なくとも１つのダウンリンク受信ビームの数が、前記端末装置及び前記ネットワーク装置がビームフォーミングにより形成した全てのダウンリンク受信ビームの数よりも小さいステップと、
前記端末装置が、測定結果に基づいて、前記少なくとも１つのダウンリンク受信ビームからターゲットダウンリンク受信ビームを決定するステップと、
前記端末装置が、前記ネットワーク装置に前記ターゲットダウンリンク受信ビームを報告し、かつ前記ターゲットダウンリンク受信ビームにより前記ネットワーク装置から送信された物理ダウンリンク制御チャネルＰＤＣＣＨを受信するステップとを含み、
ここで、前記端末装置が、少なくとも１つのダウンリンク受信ビームにおける各ダウンリンク受信ビームによって受信され、ネットワーク装置によって送信された第１の信号を測定する前に、前記方法は、
前記端末装置が第１の測定タイマーを決定するステップをさらに含み、前記第１の測定タイマーの長さが、前記端末装置がアクティブ非連続受信アクティブＤＲＸの起動状態にある持続期間よりも小さく、かつ前記端末装置が前記アクティブＤＲＸの起動状態期間に前記ＰＤＣＣＨをさらに受信して復号し、前記端末装置がアクティブＤＲＸの起動状態にある持続期間は、該端末装置のオンデュレーションタイマーＯｎ−ｄｕｒａｔｉｏｎ  Ｔｉｍｅｒの長さであり、
前記端末装置が、少なくとも１つのダウンリンク受信ビームにおける各ダウンリンク受信ビームによって受信され、ネットワーク装置によって送信された第１の信号を測定するステップは、
前記端末装置が前記第１の測定タイマーを起動し、かつ第１のダウンリンク受信ビームの受信した前記第１の信号を測定し、
前記第１の測定タイマーがタイムアウトしていないと、前記端末装置が第２のダウンリンク受信ビームの受信した前記第１の信号を測定し続け、
前記第１の測定タイマーがタイムアウトすると、前記端末装置が測定を停止することを含むことを特徴とする非連続受信用のデータ伝送方法。
【請求項２】
前記端末装置が、少なくとも１つのダウンリンク受信ビームにおける各ダウンリンク受信ビームによって受信され、ネットワーク装置によって送信された第１の信号を測定する前に、前記方法は、
前記端末装置が前記少なくとも１つのダウンリンク受信ビームを決定するステップをさらに含むことを特徴とする請求項１に記載のデータ伝送方法。
【請求項３】
前記端末装置が前記少なくとも１つのダウンリンク受信ビームを決定するステップは、
前記端末装置が、前記ネットワーク装置から送信された第１の指示情報を受信し、前記第１の指示情報が前記少なくとも１つのダウンリンク受信ビームの数を指示するために用いられ、前記少なくとも１つのダウンリンク受信ビームの数が、前記端末装置及び前記ネットワーク装置がビームフォーミングにより形成した全てのダウンリンク受信ビームの数よりも小さく、
前記端末装置が、前記少なくとも１つのダウンリンク受信ビームの数に基づいて、前記少なくとも１つのダウンリンク受信ビームを決定することを含むことを特徴とする請求項２に記載のデータ伝送方法。
【請求項４】
前記端末装置が第１の測定タイマーを決定するステップは、
前記端末装置が、前記ネットワーク装置から送信された第２の指示情報を受信し、前記第２の指示情報が測定持続期間を指示するために用いられ、前記測定持続期間が、前記端末装置がアクティブＤＲＸの起動状態にある持続期間よりも小さく、
前記端末装置が、前記測定持続期間に基づいて、前記第１の測定タイマーを決定することを含むことを特徴とする請求項１に記載のデータ伝送方法。
【請求項５】
前記端末装置が、少なくとも１つのダウンリンク受信ビームにおける各ダウンリンク受信ビームによって受信され、ネットワーク装置によって送信された第１の信号を測定する前に、前記方法は、
前記端末装置が信号強度閾値を決定するステップをさらに含み、前記信号強度閾値が、前記端末装置が前記ＰＤＣＣＨを受信して復号することができることに必要な最小信号強度値以上であり、
前記端末装置が、少なくとも１つのダウンリンク受信ビームにおける各ダウンリンク受信ビームによって受信され、ネットワーク装置によって送信された第１の信号を測定するステップは、
前記端末装置が第１のダウンリンク受信ビームの受信した前記第１の信号を測定し、第１の信号強度を得て、
前記第１の信号強度が前記信号強度閾値よりも小さいと、前記端末装置が第２のダウンリンク受信ビームの受信した前記第１の信号を測定し続けることを含むことを特徴とする請求項１に記載のデータ伝送方法。
【請求項６】
前記端末装置が、少なくとも１つのダウンリンク受信ビームにおける各ダウンリンク受信ビームによって受信され、ネットワーク装置によって送信された第１の信号を測定する前に、前記方法は、
前記端末装置が第２の測定タイマーを起動するステップをさらに含み、前記第２の測定タイマーの長さが、前記端末装置がアクティブＤＲＸの起動状態にある持続期間よりも小さく、かつ前記端末装置が前記アクティブＤＲＸの起動状態期間に前記ＰＤＣＣＨをさらに受信して復号し、
前記第１の信号強度が前記信号強度閾値よりも小さいと、前記端末装置が第２のダウンリンク受信ビームの受信した前記第１の信号を測定し続けることは、
前記第１の信号強度が前記信号強度閾値よりも小さく、かつ前記第２の測定タイマーがタイムアウトしていないと、前記端末装置が前記第２のダウンリンク受信ビームの受信した前記第１の信号を測定し続けることを含むことを特徴とする請求項５に記載のデータ伝送方法。
【請求項７】
前記端末装置が、少なくとも１つのダウンリンク受信ビームにおける各ダウンリンク受信ビームによって受信され、ネットワーク装置によって送信された第１の信号を測定する前に、前記方法は、
前記端末装置が前記少なくとも１つのダウンリンク受信ビームの数を決定するステップをさらに含み、前記少なくとも１つのダウンリンク受信ビームの数が、前記端末装置及び前記ネットワーク装置がビームフォーミングにより形成した全てのダウンリンク受信ビームの数よりも小さく、
前記第１の信号強度が前記信号強度閾値よりも小さいと、前記端末装置が第２のダウンリンク受信ビームの受信した前記第１の信号を測定し続けることは、
前記第１の信号強度が前記信号強度閾値よりも小さく、かつ前記端末装置が既に測定したダウンリンク受信ビームの数が前記少なくとも１つのダウンリンク受信ビームの数よりも小さいと、前記端末装置が前記第２のダウンリンク受信ビームの受信した前記第１の信号を継続測定することを含むことを特徴とする請求項５に記載のデータ伝送方法。
【請求項８】
前記方法は、
前記第１の信号強度が前記信号強度閾値以上であると、前記端末装置が測定を停止するステップをさらに含み、
前記端末装置が、測定結果に基づいて、前記少なくとも１つのダウンリンク受信ビームからターゲットダウンリンク受信ビームを決定するステップは、
前記端末装置が前記第１のダウンリンク受信ビームを前記ターゲットダウンリンク受信ビームとして決定することを含み、
前記端末装置が信号強度閾値を決定するステップは、
前記端末装置が、前記ネットワーク装置から送信された第３の指示情報を受信し、前記第３の指示情報が、前記端末装置が前記ＰＤＣＣＨを受信して復号することができることに必要な最小信号強度値を指示するために用いられ、
前記端末装置が、前記最小信号強度値に基づいて、前記信号強度閾値を決定することを含むことを特徴とする請求項５から７のいずれか１項に記載のデータ伝送方法。
【請求項９】
非連続受信用のデータ伝送方法であって、
ネットワーク装置が、端末装置に測定するための第１の信号及び指示情報を送信し、前記指示情報が、前記端末装置に、前記第１の信号を測定することにより、少なくとも１つのダウンリンク受信ビームからターゲットダウンリンク受信ビームを決定するように指示するために用いられ、ただし、前記少なくとも１つのダウンリンク受信ビームの数が、前記端末装置とビームフォーミングにより形成した全てのダウンリンク受信ビームの数よりも小さいステップと、
前記ネットワーク装置が、前記端末装置が前記第１の信号及び前記指示情報に基づいて報告した該ターゲットダウンリンク受信ビームを受信するステップと、
前記ネットワーク装置が、前記ターゲットダウンリンク受信ビームにより前記端末装置に物理ダウンリンク制御チャネルＰＤＣＣＨを送信するステップとを含み、
ここで、前記端末装置が前記第１の信号を測定することは、
前記端末装置が第１の測定タイマーを決定するステップをさらに含み、前記第１の測定タイマーの長さが、前記端末装置がアクティブ非連続受信アクティブＤＲＸの起動状態にある持続期間よりも小さく、かつ前記端末装置が前記アクティブＤＲＸの起動状態期間に前記ＰＤＣＣＨをさらに受信して復号し、前記端末装置がアクティブＤＲＸの起動状態にある持続期間は、該端末装置のオンデュレーションタイマーＯｎ−ｄｕｒａｔｉｏｎ  Ｔｉｍｅｒの長さであり、
前記端末装置が前記第１の測定タイマーを起動し、かつ第１のダウンリンク受信ビームの受信した前記第１の信号を測定し、
前記第１の測定タイマーがタイムアウトしていないと、前記端末装置が第２のダウンリンク受信ビームの受信した前記第１の信号を測定し続け、
前記第１の測定タイマーがタイムアウトすると、前記端末装置が測定を停止することを含むことを特徴とする非連続受信用のデータ伝送方法。
【請求項１０】
前記指示情報が第１の指示情報を含み、前記第１の指示情報が少なくとも１つのダウンリンク受信ビームの数を指示するために用いられ、前記少なくとも１つのダウンリンク受信ビームの数が、前記端末装置及び前記ネットワーク装置がビームフォーミングにより形成した全てのダウンリンク受信ビームの数よりも小さいことを特徴とする請求項９に記載のデータ伝送方法。
【請求項１１】
前記指示情報は第２の指示情報をさらに含み、前記第２の指示情報が測定持続期間を指示するために用いられ、前記測定持続期間が、前記端末装置がアクティブ非連続受信アクティブＤＲＸの起動状態にある持続期間よりも小さく、かつ前記端末装置が前記アクティブＤＲＸの起動状態期間に前記ＰＤＣＣＨをさらに受信して復号することを特徴とする請求項９又は１０に記載のデータ伝送方法。
【請求項１２】
前記指示情報は第３の指示情報をさらに含み、前記第３の指示情報が、前記端末装置が前記ＰＤＣＣＨを受信して復号することができることに必要な最小信号強度値を指示するために用いられることを特徴とする請求項９から１１のいずれか１項に記載のデータ伝送方法。
【請求項１３】
端末装置であって、
プロセッサと
コマンドを格納されたメモリとを含み、
前記プロセッサは、前記コマンドを実行する時、請求項１から８のいずれか１項記載の非連続受信のデータ送信方法を執行するように構成される端末装置。
【請求項１４】
ネットワーク装置であって、
プロセッサと、
コマンドが格納されたメモリとを含み、
前記プロセッサは、前記コマンドを実行する時、請求項９から１２のいずれか１項記載の非連続受信のデータ送信方法を執行するように構成されるネットワーク装置。
【発明の詳細な説明】
【技術分野】
【０００１】
本願は、通信の分野に関し、詳しくは、通信分野における非連続受信（Ｄｉｓｃｏｎｔｉｎｕｏｕｓ  Ｒｅｃｅｐｔｉｏｎ、「ＤＲＸ」と略称する）用のデータ伝送方法及び装置に関する。
【背景技術】
【０００２】
サービスモードの変化における状態遷移のオーバーヘッドを減少させるために、ロングタームエボリューション（Ｌｏｎｇ  Ｔｅｒｍ  Ｅｖｏｌｕｔｉｏｎ、「ＬＴＥ」と略称する）に中間状態、すなわちアクティブ非連続受信（Ａｃｔｉｖｅ  Ｄｉｓｃｏｎｔｉｎｕｏｕｓ  Ｒｅｃｅｐｔｉｏｎ、「Ａｃｔｉｖｅ  ＤＲＸ」と略称する）メカニズムを導入する。アクティブＤＲＸメカニズムは、端末装置が無線リソース制御（Ｒａｄｉｏ  Ｒｅｓｏｕｒｃｅ  Ｃｏｎｔｒｏｌ、「ＲＲＣ」と略称する）の接続を保持する状態でスリープ状態と起動状態との間で周期的に転換することを許可する。アクティブＤＲＸメカニズムは、端末装置のアクティブを起動状態段階とスリープ状態段階に分け、端末装置を休止期間に周期的に入らせ、かつ物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、「ＰＤＣＣＨ」と略称する）の監視を停止することにより、システムリソースの構成を最適化できる。また、この状態で依然としてＲＲＣ接続が存在するため、端末装置が起動状態に転換する速度は非常に速い。
【０００３】
５Ｇのマルチビームシステムにおいて、端末装置とネットワーク装置は、ビームフォーミングにより複数のダウンリンク受信ビームをトレーニングし、異なるダウンリンク受信ビームは、異なる時間リソースで信号を伝送する可能性があるが、端末装置の位置が変化するに伴い、ダウンリンク送信ビームとダウンリンク受信ビームの不一致が引き起こされる。それが、移動前にネットワーク装置とマッチングするダウンリンク送信ビームの発信した信号を、現在使用されているダウンリンク受信ビームが受信できないことを表す。
【０００４】
従来のＤＲＸ技術にとって、端末装置がアクティブＤＲＸの起動状態に入る時、まず、前記端末装置は、トレーニングして形成された全てのダウンリンク受信ビームにおける各ダウンリンク受信ビームの受信したネットワーク装置から送信された信号を測定し、信号強度が最も高いダウンリンク受信ビームをダウンリンク伝送用のダウンリンク受信ビームとする必要があり、それにより該端末装置は、該アクティブＤＲＸの起動状態期間にＰＤＣＣＨを受信して復号することができる。
【０００５】
しかしながら、端末装置のダウンリンク受信ビームの数が多い場合、端末装置は、アクティブＤＲＸの起動状態期間にビームの選択のため、大量の時間が浪費され、該端末装置が該起動状態期間にＰＤＣＣＨを復号する時間がなくなる可能性がある。
【発明の概要】
【発明が解決しようとする課題】
【０００６】
本願の実施例に係る非連続受信用の信号伝送方法及び装置は、端末装置がダウンリンク受信ビームを選択することに必要な時間を減少させることができ、それにより端末装置が、アクティブＤＲＸの起動状態期間にネットワーク装置から送信されたＰＤＣＣＨを成功裏に受信して復号することができる。
【課題を解決するための手段】
【０００７】
第１の態様では、本願は、非連続受信用のデータ伝送方法を提供し、該データ伝送方法は、
端末装置が、少なくとも１つのダウンリンク受信ビームにおける各ダウンリンク受信ビームの受信したネットワーク装置から送信された第１の信号を測定するステップと、
該端末装置が、測定結果に基づいて、該少なくとも１つのダウンリンク受信ビームからターゲットダウンリンク受信ビームを決定するステップと、
該端末装置が、該ネットワーク装置に該ターゲットダウンリンク受信ビームを報告し、かつ該ターゲットダウンリンク受信ビームにより該ネットワーク装置から送信された物理ダウンリンク制御チャネルＰＤＣＣＨを受信するステップとを含む。
【０００８】
一実施例において、該少なくとも１つのダウンリンク受信ビームの数が、該端末装置及び該ネットワーク装置がビームフォーミングにより形成したダウンリンク受信ビームの数よりも小さくしてもよい。
【０００９】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、端末装置とネットワーク装置がビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００１０】
本願に係る非連続受信用のデータ伝送方法は、端末装置が少なくとも１つのダウンリンク受信ビームにおける各ダウンリンク受信ビームの受信したネットワーク装置から送信された第１の信号を測定し、該少なくとも１つのダウンリンク受信ビームの数が、該端末装置及び該ネットワーク装置がビームフォーミングにより形成したダウンリンク受信ビームの数よりも小さく、端末装置がダウンリンク受信ビームを選択することに必要な時間を減少させることができる。
【００１１】
本願の実施例における端末装置のダウンリンク受信ビームが、ダウンリンク受信信号又はダウンリンクチャネルであってもよく、本願の実施例がこれについて限定しない。
本願の実施例にて、端末装置が少なくとも１つのダウンリンク受信ビームそれぞれの受信した、ネットワーク装置が送信した第１の信号を測定することは、ダウンリンク受信ビームの受信した該第１の信号の信号強度又は信号品質を測定することとしてもよく、本願の実施例がこれについて限定しない。
【００１２】
第１の態様を参照し、第１の態様の第１の可能な実施形態において、該端末装置が、少なくとも１つのダウンリンク受信ビームにおける各ダウンリンク受信ビームの受信したネットワーク装置から送信された第１の信号を測定する前に、該方法は、該端末装置が該少なくとも１つのダウンリンク受信ビームを決定するステップをさらに含む。
【００１３】
具体的には、該端末装置は、該端末装置とネットワーク装置とがビームフォーミングにより形成したダウンリンク受信ビームから少なくとも１つのダウンリンク受信ビームを選択し、かつ該少なくとも１つのダウンリンク受信ビームにおける各ダウンリンク受信ビームの受信した、ネットワーク装置から送信された第１の信号を測定することができる。
【００１４】
一実施例において、該端末装置は、空間上の異なる方向におけるダウンリンク受信ビームを該少なくとも１つのダウンリンク受信ビームとして決定することとしてもよい。
【００１５】
一実施例において、該端末装置は、該少なくとも１つのダウンリンク受信ビームを自ら決定すること、又はネットワーク装置の指示に基づいて該少なくとも１つのダウンリンク受信ビームを決定することとしてもよい。本願の実施例がこれについて限定しない。
【００１６】
本願に係る非連続受信用のデータ伝送方法は、該端末装置及びネットワーク装置のビームフォーミング後の複数のダウンリンク受信ビームから一部のダウンリンク受信ビームに対して測定を行い、端末装置が測定する必要があるダウンリンク受信ビームの数を減少させることにより、端末装置がビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００１７】
第１の態様の第１の可能な実施形態を参照し、第１の態様の第２の可能な実施形態において、該端末装置が該少なくとも１つのダウンリンク受信ビームを決定するステップは、該端末装置が、該ネットワーク装置から送信された第１の指示情報を受信し、該第１の指示情報が該少なくとも１つのダウンリンク受信ビームの数を指示するために用いられ、該少なくとも１つのダウンリンク受信ビームの数が、該端末装置及び該ネットワーク装置がビームフォーミングにより形成したダウンリンク受信ビームの数よりも小さく、該端末装置が、該少なくとも１つのダウンリンク受信ビームの数に基づいて、該少なくとも１つのダウンリンク受信ビームを決定することを含む。
【００１８】
具体的には、該端末装置は、ネットワーク装置の指示に基づいて、該少なくとも１つのダウンリンク受信ビームを決定することができる。
【００１９】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００２０】
一実施例において、該端末装置は、ネットワーク装置から送信された第１の指示情報を受信すること、該第１の指示情報が該少なくとも１つのダウンリンク受信ビームの数を指示するために用いられ、該端末装置が該少なくとも１つのダウンリンク受信ビームの数に基づいて、該少なくとも１つのダウンリンク受信ビームを決定することとしてもよい。
【００２１】
一実施例において、該端末装置は、空間上の異なる方向の少なくとも１つのダウンリンク受信ビームを該少なくとも１つのダウンリンク受信ビームとして決定することとしてもよい。
【００２２】
第１の態様を参照し、第１の態様の第３の可能な実施形態において、該端末装置が、少なくとも１つのダウンリンク受信ビームにおける各ダウンリンク受信ビームの受信したネットワーク装置から送信された第１の信号を測定する前に、該方法は、該端末装置が第１の測定タイマーを決定するステップをさらに含み、該第１の測定タイマーの長さが、該端末装置がアクティブＤＲＸの起動状態にある持続期間よりも小さく、かつ前記端末装置が前記アクティブＤＲＸの起動状態期間に前記ＰＤＣＣＨをさらに受信して復号することができ、該端末装置が、少なくとも１つのダウンリンク受信ビームにおける各ダウンリンク受信ビームの受信したネットワーク装置から送信された第１の信号を測定するステップは、該端末装置が該第１の測定タイマーを起動し、かつ第１のダウンリンク受信ビームの受信した該第１の信号を測定し、該第１の測定タイマーがタイムアウトしていないと、該端末装置が第２のダウンリンク受信ビームの受信した該第１の信号を継続測定し、該第１の測定タイマーがタイムアウトすると、該端末装置が測定を停止することを含む。
【００２３】
該端末装置が該第１の測定タイマーの持続期間範囲内に測定した該少なくとも１つのダウンリンク受信ビームの数は、該端末装置及び該ネットワーク装置がビームフォーミングにより形成したダウンリンク受信ビームの数以上であってもよく、例えば、該第１の測定タイマーの持続期間は、該端末装置が、該端末装置とネットワーク装置とがビームフォーミングにより形成した全てのダウンリンク受信ビームを測定することに十分であるが、本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００２４】
また、該第１のダウンリンク受信ビーム及び該第２のダウンリンク受信ビームは、いずれも該端末装置及びネットワーク装置がビームフォーミングにより形成したダウンリンク受信ビームであり、かつ該第１のダウンリンク受信ビームが該第２のダウンリンク受信ビームと異なる。
【００２５】
また、該第１の測定タイマーの長さは、該端末装置がターゲットダウンリンク受信ビームを選択することができ、かつアクティブＤＲＸの起動状態期間に該端末装置がさらに該ＰＤＣＣＨを成功裏に受信して復号することができることを満たすべきである。
【００２６】
具体的には、該端末装置は、第１の測定タイマーを設定することができ、該第１の測定タイマーの長さは、該端末装置がアクティブＤＲＸの起動状態にある持続期間よりも小さく、かつ前記端末装置は、前記アクティブＤＲＸの起動状態期間に前記ＰＤＣＣＨをさらに受信して復号することができ、該端末装置は、該第１の測定タイマーを起動し、該端末装置とネットワーク装置とがビームフォーミングにより形成した各ダウンリンク受信ビームの受信した該第１の信号を順次測定し、１つのダウンリンク受信ビームの受信した該第１の信号を測定するたび、該第１の測定タイマーがタイムアウトするか否かを検査し、該第１の測定タイマーがタイムアウトしていないと、端末装置は他のダウンリンク受信ビームの受信した該第１の信号を測定し続け、該第１の測定タイマーがタイムアウトすると、測定を停止する。
【００２７】
一実施例において、該端末装置がネットワーク装置の指示に基づいて該第１の測定タイマーを設定することができ、又は該端末装置が該第１の測定タイマーを自ら設定することとしてもよい。本願の実施例がこれについて限定しない。
【００２８】
一実施例において、該端末は、ターゲットダウンリンク受信ビームを決定する従来の平均持続期間を、該第１の測定タイマーの持続期間として決定することとしてもよい、。本願の実施例がこれについて限定しない。
【００２９】
本願に係る非連続受信用のデータ伝送方法は、端末装置により第１の測定タイマーを設定し、かつ該第１の測定タイマーの持続期間内に、該端末装置及びネットワーク装置がビームフォーミングにより形成したダウンリンク受信ビームの受信した該第１の信号を順次測定し、該第１の測定タイマーの長さが、該端末装置がアクティブＤＲＸの起動状態にある持続期間よりも小さく、該端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００３０】
第１の態様の第３の可能な実施形態を参照し、第１の態様の第４の可能な実施形態において、該端末装置が第１の測定タイマーを決定するステップは、該端末装置が、該ネットワーク装置から送信された第２の指示情報を受信し、該第２の指示情報が測定持続期間を指示するために用いられ、該測定持続期間が、該端末装置がアクティブＤＲＸの起動状態にある持続期間よりも小さく、かつ前記端末装置が前記アクティブＤＲＸの起動状態期間に前記ＰＤＣＣＨをさらに受信して復号することができ、該端末装置が、該測定持続期間に基づいて、該第１の測定タイマーを決定することを含む。
【００３１】
具体的には、該端末装置は、ネットワーク装置の指示に基づいて該第１の測定タイマーを設定することができる。
【００３２】
一実施例において、該端末装置は、ネットワーク装置から送信された第２の指示情報を受信することとしてもよい。該第２の指示情報が測定持続期間を指示するために用いられ、該端末装置は、該測定持続期間に基づいて、該第１の測定タイマーを設定する。
【００３３】
一実施例において、該ネットワーク装置は、該端末装置がターゲットダウンリンク受信ビームを決定する従来の平均持続期間を、該第１の測定タイマーの持続期間として決定することとしてもよい。本願の実施例がこれについて限定しない。
【００３４】
第１の態様の第３又は第４の可能な実施形態を参照し、第１の態様の第５の可能な実施形態において、該端末装置がアクティブＤＲＸの起動状態にある持続期間は、該端末装置のオンデュレーションタイマーＯｎ−ｄｕｒａｔｉｏｎ  Ｔｉｍｅｒの長さである。
【００３５】
第１の態様を参照し、第１の態様の第６の可能な実施形態において、該端末装置が、少なくとも１つのダウンリンク受信ビームにおける各ダウンリンク受信ビームの受信したネットワーク装置から送信された第１の信号を測定する前に、該方法は、該端末装置が信号強度閾値を決定するステップをさらに含み、該信号強度閾値が、該端末装置が該ＰＤＣＣＨを受信して復号することができることに必要な最小信号強度値以上であり、該端末装置が、少なくとも１つのダウンリンク受信ビームにおける各ダウンリンク受信ビームの受信したネットワーク装置から送信された第１の信号を測定するステップは、該端末装置が第１のダウンリンク受信ビームの受信した該第１の信号を測定し、第１の信号強度を得て、該第１の信号強度が該信号強度閾値よりも小さいと、該端末装置が第２のダウンリンク受信ビームの受信した該第１の信号を継続測定することを含む。
【００３６】
該端末装置が測定した該少なくとも１つのダウンリンク受信ビームの数は、該端末装置及び該ネットワーク装置がビームフォーミングにより形成したダウンリンク受信ビームの数以上であってもよい。例えば、該信号強度閾値が高く設定されると、受信した該第１の信号の信号強度が信号強度閾値を満たすダウンリンク受信ビームが最後に測定される可能性がある。本願の実施例が、信号強度閾値を満たすダウンリンク受信ビームが測定されるまで、該端末装置が測定した該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００３７】
具体的には、該端末装置は、信号強度閾値を設定することができ、該信号強度閾値は、該端末装置が該ＰＤＣＣＨを受信して復号することができることに必要な最小信号強度値以上であり、該端末装置は、該端末装置とネットワーク装置とがビームフォーミングにより形成した各ダウンリンク受信ビームの受信した該第１の信号の信号強度を順次測定することができ、１つのダウンリンク受信ビームの受信した該第１の信号の信号強度を測定するたび、該信号強度と信号強度閾値との大小関係を判断し、該信号強度が該信号強度閾値よりも小さい場合、該端末装置は他のダウンリンク受信ビームを継続測定し、信号強度が該信号強度閾値以上であるダウンリンク受信ビームが見つけられるまで、該端末装置は他のダウンリンク受信ビームの測定を停止し、かつ該ダウンリンク受信ビームをターゲットダウンリンク受信ビームとして決定する。
【００３８】
本願に係る非連続受信用のデータ伝送方法は、端末装置により信号強度閾値を設定し、該端末装置により信号強度閾値を満たすダウンリンク受信ビームが検出さえされれば、該ダウンリンク受信ビームをターゲットダウンリンク受信ビームとして決定し、該端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００３９】
一実施例において、該端末装置が該信号強度閾値を自ら設定すること、又は該端末装置がネットワーク装置の指示に基づいて該信号強度閾値を設定することとしてもよい。本願の実施例がこれについて限定しない。
【００４０】
一実施例において、該端末装置が、該端末装置が該ＰＤＣＣＨを受信して復号することができることに必要な最小信号強度値を該信号強度閾値として決定すること、又は該端末装置が該最小信号強度よりも大きい値を該信号強度閾値として決定することとしてもよい。本願の実施例がこれについて限定しない。
【００４１】
一実施例において、該ネットワーク装置は、該端末装置がターゲットダウンリンク受信ビームを測定して取得し、ＰＤＣＣＨを受信して復号することができる従来の平均信号強度を、該信号強度閾値として決定することとしてもよい。本願の実施例がこれについて限定しない。
【００４２】
第１の態様の上記いずれか１項の可能な実施形態を参照し、該端末装置が、測定結果に基づいて、該少なくとも１つのダウンリンク受信ビームからターゲットダウンリンク受信ビームを決定することは、該端末装置が該少なくとも１つのダウンリンク受信ビームにおける各ダウンリンク受信ビームの受信した該第１の信号の信号強度のうち信号強度が最も強いダウンリンク受信ビームを該ターゲットダウンリンク受信ビームとして決定することとしてもよい。
【００４３】
第１の態様の第６の可能な実施形態を参照し、第１の態様の第７の可能な実施形態において、該端末装置が、少なくとも１つのダウンリンク受信ビームにおける各ダウンリンク受信ビームの受信したネットワーク装置から送信された第１の信号を測定する前に、該方法は、該端末装置が第２の測定タイマーを起動するステップをさらに含み、該第２の測定タイマーの長さが、該端末装置がアクティブＤＲＸの起動状態にある持続期間よりも小さく、かつ前記端末装置が前記アクティブＤＲＸの起動状態期間に前記ＰＤＣＣＨをさらに受信して復号することができ、該第１の信号強度が該信号強度閾値よりも小さい場合、該端末装置が第２のダウンリンク受信ビームの受信した該第１の信号を継続測定することが、該第１の信号強度が該信号強度閾値よりも小さく、かつ該第２の測定タイマーがタイムアウトしていない場合、該端末装置が該第２のダウンリンク受信ビームの受信した該第１の信号を継続測定することを含む。
【００４４】
具体的には、該端末装置は、第２の測定タイマーを設定して起動することができ、該第２の測定タイマーの長さは、該端末装置がアクティブＤＲＸの起動状態にある持続期間よりも小さく、かつ前記端末装置は、前記アクティブＤＲＸの起動状態期間に前記ＰＤＣＣＨをさらに受信して復号することができ、該第２の測定タイマーの持続期間内にある限り、信号強度閾値条件を満たすダウンリンク受信ビームが見つけられるまで、該端末装置は、該端末装置とネットワーク装置とがビームフォーミングにより形成したダウンリンク受信ビームの受信した該第１の信号を順次測定することができる。
【００４５】
第１の態様の第６の可能な実施形態を参照し、第１の態様の第８の可能な実施形態において、該端末装置が、少なくとも１つのダウンリンク受信ビームにおける各ダウンリンク受信ビームの受信したネットワーク装置から送信された第１の信号を測定する前に、該方法は、該端末装置が該少なくとも１つのダウンリンク受信ビームの数を決定するステップをさらに含み、該少なくとも１つのダウンリンク受信ビームの数が、該端末装置及び該ネットワーク装置がビームフォーミングにより形成したダウンリンク受信ビームの数よりも小さく、該第１の信号強度が該信号強度閾値よりも小さいと、該端末装置が第２のダウンリンク受信ビームの受信した該第１の信号を継続測定することは、該第１の信号強度が該信号強度閾値よりも小さく、かつ該端末装置が既に測定したダウンリンク受信ビームの数が該少なくとも１つのダウンリンク受信ビームの数よりも小さいと、該端末装置が該第２のダウンリンク受信ビームの受信した該第１の信号を継続測定することを含む。
【００４６】
具体的には、該端末装置は、該少なくとも１つのダウンリンク受信ビームの数を設定することができ、該少なくとも１つのダウンリンク受信ビームの数が、該端末装置及び該ネットワーク装置がビームフォーミングにより形成したダウンリンク受信ビームの数よりも小さく、該端末装置が測定したダウンリンク受信ビームの数が、該端末装置が決定した該少なくとも１つのダウンリンク受信ビームの数を超えず、信号強度閾値条件を満たすダウンリンク受信ビームが見つけられるまで、該端末装置は、該端末装置とネットワーク装置とがビームフォーミングにより形成したダウンリンク受信ビームの受信した該第１の信号を順次測定することができる。
【００４７】
第１の態様の第６から第８の可能な実施形態における任意の可能な実施形態を参照し、第１の態様の第９の可能な実施形態において、該方法は、該第１の信号強度が該信号強度閾値以上であると、該端末装置が測定を停止するステップをさらに含み、該端末装置が、測定結果に基づいて、該少なくとも１つのダウンリンク受信ビームからターゲットダウンリンク受信ビームを決定するステップは、端末装置が該第１のダウンリンク受信ビームを該ターゲットダウンリンク受信ビームとして決定することを含む。
【００４８】
具体的には、該端末装置により１つのダウンリンク受信ビームの受信した該第１の信号の信号強度が信号強度閾値を満たすと検出さえされれば、該第２の測定タイマーがタイムアウトするか否か、そして該少なくとも１つのダウンリンク受信ビームにおける各ダウンリンク受信ビームが全部測定されるか否かにかかわらず、該端末装置は該ダウンリンク受信ビームを該ターゲットダウンリンク受信ビームとして決定する。
【００４９】
第１の態様の第６から第９の可能な実施形態における任意の可能な実施形態を参照し、第１の態様の第１０の可能な実施形態において、該端末装置が信号強度閾値を決定するステップは、該端末装置が、該ネットワーク装置から送信された第３の指示情報を受信し、該第３の指示情報が、該端末装置が該ＰＤＣＣＨを受信して復号することに必要な最小信号強度値を指示するために用いられ、該端末装置が、該最小信号強度値に基づいて、該信号強度閾値を決定することを含む。
【００５０】
具体的には、該端末装置は、ネットワーク装置の指示に基づいて、該信号強度閾値を決定することができる。
【００５１】
一実施例において、該端末装置は、ネットワーク装置から送信された第３の指示情報を受信することとしてもよい。該第３の指示情報が、該端末装置が該ＰＤＣＣＨを受信して復号することに必要な最小信号強度値を指示するために用いられ、該端末装置は、該最小信号強度値に基づいて、該信号強度閾値を決定することとしてもよい。
【００５２】
本願の実施例に係る非連続受信用のデータ伝送方法は、端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００５３】
第２の態様では、本願は、非連続受信用のデータ伝送方法を提供し、該データ伝送方法は、
ネットワーク装置が、端末装置に測定するための第１の信号及び指示情報を送信し、該指示情報が、該端末装置に、該第１の信号を測定することにより、少なくとも１つのダウンリンク受信ビームからターゲットダウンリンク受信ビームを決定するように指示するために用いられるステップと、
該ネットワーク装置が、該端末装置が該第１の信号及び該指示情報に基づいて報告したターゲットダウンリンク受信ビームを受信するステップと、
該ネットワーク装置が、該ターゲットダウンリンク受信ビームにより該端末装置に物理ダウンリンク制御チャネルＰＤＣＣＨを送信するステップとを含む。
【００５４】
一実施例において、該少なくとも１つのダウンリンク受信ビームの数を、該端末装置及び該ネットワーク装置がビームフォーミングにより形成したダウンリンク受信ビームの数よりも小さくしてもよい。
【００５５】
該少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００５６】
本願に係る非連続受信用のデータ伝送方法は、ネットワーク装置を通して、端末装置に測定するための第１の信号と、該端末装置に少なくとも１つのダウンリンク受信ビームからターゲットダウンリンク受信ビームを決定するように指示するための指示情報とを送信し、ただし、該少なくとも１つのダウンリンク受信ビームの数が、該ネットワーク装置及び端末装置がビームフォーミングにより形成したダウンリンク受信ビームの数よりも小さく、端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができる。
【００５７】
第２の態様を参照し、第２の態様の第１の可能な実施形態において、該指示情報は第１の指示情報を含み、該第１の指示情報が少なくとも１つのダウンリンク受信ビームの数を指示するために用いられ、該少なくとも１つのダウンリンク受信ビームの数が、該端末装置及び該ネットワーク装置がビームフォーミングにより形成したダウンリンク受信ビームの数よりも小さい。
【００５８】
ネットワーク装置が送信した第１の信号が、端末装置が全てのダウンリンク受信ビームからターゲットダウンリンク受信信号を選択するために用いられ、該第１の信号が、例えばダウンリンク基準信号、一次同期信号（Ｐｒｉｍａｒｙ  Ｓｙｎｃｈｒｏｎｉｚａｔｉｏｎ  Ｓｉｇｎａｌ、ＰＳＳ）、二次同期信号（Ｓｅｃｏｎｄａｒｙ  Ｓｙｎｃｈｒｏｎｉｚａｔｉｏｎ  Ｓｉｇｎａｌ、ＳＳＳ）又は他の測定用の信号であってもよく、本願の実施例がこれについて限定しない。
【００５９】
また、該少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されないと理解すべきである。
【００６０】
本願に係る非連続受信用のデータ伝送方法は、端末装置に少なくとも１つのダウンリンク受信ビームの数を指示するための指示情報を送信することにより、該少なくとも１つのダウンリンク受信ビームが、該端末装置及び該ネットワーク装置がビームフォーミングにより形成したダウンリンク受信ビームの一部であり、それにより該端末装置が該少なくとも１つのダウンリンク受信ビームにおける各ダウンリンク受信ビームの受信した該第１の信号を測定することにより、ターゲットダウンリンク受信ビームを決定することができ、端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００６１】
第２の態様又は第２の態様の第１の可能な実施形態を参照し、第２の態様の第２の可能な実施形態において、該指示情報は第２の指示情報をさらに含み、該第２の指示情報が測定持続期間を指示するために用いられ、該測定持続期間が、該端末装置がアクティブＤＲＸの起動状態にある持続期間よりも小さく、かつ前記端末装置が前記アクティブＤＲＸの起動状態期間に前記ＰＤＣＣＨをさらに受信して復号することができる。
【００６２】
該端末装置が該第１の測定タイマーの持続期間内に測定した該少なくとも１つのダウンリンク受信ビームの数は、該端末装置及び該ネットワーク装置がビームフォーミングにより形成したダウンリンク受信ビームの数以上であってもよい。例えば、該第１の測定タイマーの持続期間は、該端末装置が、該ネットワーク装置と該端末装置とがビームフォーミングにより形成した全てのダウンリンク受信ビームを測定することに十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００６３】
一実施例において、該ネットワーク装置は、該端末装置がターゲットダウンリンク受信ビームを決定する従来の平均持続期間を、該第１の測定タイマーの持続期間として決定することができ、本願の実施例がこれについて限定しない。
【００６４】
本願に係る非連続受信用のデータ伝送方法は、ネットワーク装置を通じて端末装置に測定持続期間を指示するための指示情報を送信することにより、該端末装置が該測定持続期間に基づいて第１の測定タイマーを決定し、かつ該第１の測定タイマーの持続期間内に、該端末装置及びネットワーク装置がビームフォーミングにより形成したダウンリンク受信ビームの受信した該第１の信号を順次測定し、該第１の測定タイマーの長さが、該端末装置がアクティブＤＲＸの起動状態にある持続期間よりも小さく、該端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００６５】
第２の態様の第２の可能な実施形態を参照し、第２の態様の第３の可能な実施形態において、該端末装置がアクティブＤＲＸの起動状態にある持続期間は該端末装置のオンデュレーションタイマーＯｎ−ｄｕｒａｔｉｏｎ  Ｔｉｍｅｒの長さである。
【００６６】
第２の態様、第２の態様の第１から第３の可能な実施形態における任意の可能な実施形態を参照し、第２の態様の第４の可能な実施形態において、該指示情報は、第３の指示情報をさらに含み、該第３の指示情報が、該端末装置が該ＰＤＣＣＨを受信して復号することに必要な最小信号強度値を指示するために用いられる。
【００６７】
該端末装置が測定した該少なくとも１つのダウンリンク受信ビームの数は、該端末装置及び該ネットワーク装置がビームフォーミングにより形成したダウンリンク受信ビームの数以上であってもよい。例えば、該信号強度閾値が高く設定されると、受信した該第１の信号の信号強度が信号強度閾値を満たすダウンリンク受信ビームが最後に測定される可能性がある。本願の実施例が、信号強度閾値を満たすダウンリンク受信ビームが測定されるまで、該端末装置が測定した該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００６８】
一実施例において、該ネットワーク装置は、該端末装置がターゲットダウンリンク受信ビームを測定して取得し、ＰＤＣＣＨを受信して復号することができる従来の平均信号強度を、該信号強度閾値として決定することとしてもよい。本願の実施例がこれについて限定しない。
【００６９】
一実施例において、本願の実施例におけるネットワーク装置が送信した指示情報は、第１の指示情報、第２の指示情報及び第３の指示情報のうち少なくとも１つを含むこととしてもよい。本願の実施例がこれについて限定しない。
【００７０】
本願に係る非連続受信用のデータ伝送方法は、ネットワーク装置を通じて、端末装置に、該端末装置が該ＰＤＣＣＨを受信して復号することに必要な最小信号強度値を指示するための指示情報を送信することにより、該端末装置が該最小信号強度値に基づいて、信号強度閾値を決定し、それにより該端末装置により受信した該第１の信号の信号強度が該信号強度閾値よりも大きいダウンリンク受信ビームが検出さえされれば、該ダウンリンク受信ビームをターゲットダウンリンク受信ビームとして決定することができ、端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００７１】
第３の態様では、本願は上記第１の態様又は第１の態様の任意の可能な実施形態におけるデータ伝送方法を実行するための非連続受信用のデータ伝送装置を提供する。具体的には、該データ伝送装置は、上記第１の態様又は第１の態様の任意の可能な実施形態におけるデータ伝送方法を実行するためのユニットを含む。
【００７２】
第４の態様では、本願は上記第２の態様又は第２の態様の任意の可能な実施形態におけるデータ伝送方法を実行するため非連続受信用のデータ伝送装置を提供する。具体的には、該データ伝送装置は上記第２の態様又は第２の態様の任意の可能な実施形態におけるデータ伝送方法を実行するためのユニットを含む。
【００７３】
第５の態様では、本願はコマンドを記憶するためのメモリ及び該メモリに記憶されたコマンドを実行するためのプロセッサを備える非連続受信用のデータ伝送装置を提供する。該プロセッサが該メモリに記憶されたコマンドを実行する時、該実行により、該プロセッサが第１の態様又は第１の態様の任意の可能な実施形態におけるデータ伝送方法を実行する。
【００７４】
第６の態様では、本願はコマンドを記憶するためのメモリ及び該メモリに記憶されたコマンドを実行するためのプロセッサを備える非連続受信用のデータ伝送装置を提供する。該プロセッサが該メモリに記憶されたコマンドを実行する時、該実行により、該プロセッサが第２の態様又は第２の態様の任意の可能な実施形態におけるデータ伝送方法を実行する。
【００７５】
第７の態様では、本願はコンピュータプログラムを記憶するためのコンピュータ可読媒体を提供する。該コンピュータプログラムは、第１の態様又は第１の態様の任意の可能な実施形態におけるデータ伝送方法を実行するためのコマンドを含む。
【００７６】
第８の態様では、本願はコンピュータプログラムを記憶するためのコンピュータ可読媒体を提供する。該コンピュータプログラムは、第２の態様又は第２の態様の任意の可能な実施形態におけるデータ伝送方法を実行するためのコマンドを含む。
【図面の簡単な説明】
【００７７】
【図１】本願の実施例が適用した無線通信システムの概略構成図である。
【図２】本願の実施例に係る非連続受信用の信号伝送方法の概略フローチャートである。
【図３】本願の実施例に係る他の非連続受信用の信号伝送方法の概略フローチャートである。
【図４】本願の実施例に係る非連続受信用の信号伝送装置の概略ブロック図である。
【図５】本願の実施例に係る他の非連続受信用の信号伝送装置の概略ブロック図である。
【図６】本願の実施例に係るさらに他の非連続受信用の信号伝送装置の概略ブロック図である。
【図７】本願の実施例に係るさらに他の非連続受信用の信号伝送装置の概略ブロック図である。
【発明を実施するための形態】
【００７８】
以下に本願の実施例における図面を参照しながら、本願の実施例における技術的解決手段を説明する。
【００７９】
本願の実施例の技術的解決手段は、様々な通信システムに適用されうる。例えば、移動通信用のグローバルシステム（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称する）、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称する）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称する）、ロングタームエボリューション（Ｌｏｎｇ  Ｔｅｒｍ  Ｅｖｏｌｕｔｉｏｎ、「ＬＴＥ」と略称する）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称する）システム、ＬＴＥ時分割複信（Ｔｉｍｅ  Ｄｉｖｉｓｉｏｎ  Ｄｕｐｌｅｘ、「ＴＤＤ」と略称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称する）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称する）通信システム、将来の進化型地上波公共移動通信ネットワーク（Ｐｕｂｌｉｃ  Ｌａｎｄ  Ｍｏｂｉｌｅ  Ｎｅｔｗｏｒｋ、ＰＬＭＮ）又は将来の５Ｇシステムなどである。
【００８０】
一実施例において、５Ｇシステム又はネットワークが新しい無線（Ｎｅｗ  Ｒａｄｉｏ、「ＮＲ」と略称する）システム又はネットワークと呼ばれてもよい。
【００８１】
図１は、本願の実施例に応用した無線通信システム１００を示す。該無線通信システム１００は少なくとも１つのネットワーク装置１１０を含んでもよい。ネットワーク装置１００は、端末装置と通信する装置であってもよい。各ネットワーク装置１００は特定の地理的領域に通信カバレッジを提供し、かつ該カバレッジ領域内に位置する端末装置（例えばＵＥ）と通信することができる。該ネットワーク装置１００は、ＧＳＭシステム又はＣＤＭＡシステムにおける基地局（Ｂａｓｅ  Ｔｒａｎｓｃｅｉｖｅｒ  Ｓｔａｔｉｏｎ、「ＢＴＳ」と略称する）であってもよく、ＷＣＤＭＡシステムにおける基地局（ＮｏｄｅＢ、「ＮＢ」と略称する）であってもよく、又はＬＴＥシステムにおける進化型基地局（Ｅｖｏｌｖｅｄ  Ｎｏｄｅ  Ｂ、「ｅＮＢ」又は「ｅＮｏｄｅＢ」と略称する）であってもよく、又はクラウド無線アクセスネットワーク（Ｃｌｏｕｄ  Ｒａｄｉｏ  Ａｃｃｅｓｓ  Ｎｅｔｗｏｒｋ、「ＣＲＡＮ」と略称する）における無線コントローラであってもよく、又は該ネットワーク装置は、中継局、アクセスポイント、車載装置、ウェアラブル装置、将来の５Ｇネットワークにおけるネットワーク側装置又は将来の進化型ＰＬＭＮにおけるネットワーク装置などであってもよい。
【００８２】
該無線通信システム１００は、ネットワーク装置１１０のカバレッジ範囲内に位置する複数の端末装置１２０をさらに含む。該端末装置１２０は、移動型又は固定型であってもよい。該端末装置１２０は、アクセス端末、ユーザ機器（Ｕｓｅｒ  Ｅｑｕｉｐｍｅｎｔ、「ＵＥ」と略称する）、ユーザユニット、加入者ステーション、移動局、モバイルステーション、遠隔局、遠隔端末、移動装置、ユーザ端末、端末、無線通信装置、ユーザエージェント又はユーザ装置であってもよい。アクセス端末は、携帯電話、無線電話、セッションイニシエーションプロトコル（Ｓｅｓｓｉｏｎ  Ｉｎｉｔｉａｔｉｏｎ  Ｐｒｏｔｏｃｏｌ、「ＳＩＰ」と略称する）電話、無線ローカルループ（Ｗｉｒｅｌｅｓｓ  Ｌｏｃａｌ  Ｌｏｏｐ、「ＷＬＬ」と略称する）ステーション、携帯情報端末（Ｐｅｒｓｏｎａｌ  Ｄｉｇｉｔａｌ  Ａｓｓｉｓｔａｎｔ、「ＰＤＡ」と略称する）、無線通信機能を有するハンドヘルド装置、計算装置又は無線モデムに接続された他の処理装置、車載装置、ウェアラブル装置、将来の５Ｇネットワークにおける端末装置又は将来の進化型ＰＬＭＮにおける端末装置などであってもよい。
【００８３】
図１は、１つのネットワーク装置及び２つの端末装置を例示的に示し、一実施例において、該無線通信システム１００は複数のネットワーク装置を含み、かつ各ネットワーク装置のカバレッジ範囲内に他の数の端末装置を含むこととしてもよい。本願の実施例がこれについて限定しない。
【００８４】
一実施例において、該無線通信システム１００は、ネットワークコントローラ、移動管理エンティティなどの他のネットワークエンティティをさらに含むこととしてもよい。本願の実施例がこれに限定されない。
【００８５】
一実施例において、まず本願の実施例に係る非連続受信（Ｄｉｓｃｏｎｔｉｎｕｏｕｓ  Ｒｅｃｅｐｔｉｏｎ、「ＤＲＸ」と略称する）技術を説明する。
【００８６】
パケットに基づくデータストリームは、一般的に突発的であり、データが伝送されていない場合、端末装置の受信回路をオフにすることにより消費電力を低減し、それにより電池の使用時間を延長する。これはＤＲＸの由来であり、すなわちＤＲＸ技術は、一定時間内にＰＤＣＣＨチャネルの監視を停止することである。ＤＲＸについて、２種があり、１つはＤＲＸ  ｉｎ  ＲＲＣ＿ＩＤＬＥであり、名称から分かるように、端末装置がアイドルＩＤＬＥ状態にある非連続受信であり、ＩＤＬＥ状態にあるため、無線リソース制御（Ｒａｄｉｏ  Ｒｅｓｏｕｒｃｅ  Ｃｏｎｔｒｏｌ、「ＲＲＣ」と略称する）接続及びユーザの専用リソースがなくなり、したがってこれは主に呼び出しチャネル及び放送チャネルを監視するために用いられ、一定の周期を予め定義さえすれば、非連続受信の目的を達成することができるが、端末装置がユーザデータチャネルを監視しようとすると、ＩＤＬＥ状態から接続ＣＯＮＮＥＣＴＥＤ状態に入る必要がある。もう１つはＤＲＸ  ｉｎＲＲＣ＿ＣＯＮＮＥＣＴＥＤであり、すなわち端末装置がＲＲＣ接続状態にある非連続受信であり、端末装置を休止期間に周期的に入らせ、かつＰＤＣＣＨの監視を停止することにより、システムリソースの構成を最適化でき、より重要なことは、端末装置をＩＤＬＥ状態に入らせずに電力を節約するという目的を達成することができ、例えばｗｅｂブラウズ、即時通信などのようなノンリアルタイムアプリケーションは、一定時間に携帯電話がダウンリンクデータ及び関連処理を持続的に監視する必要がなく、この時にＤＲＸ技術はこのような場合に応用されることができる。
【００８７】
ＤＲＸ  ｉｎ  ＲＲＣ＿ＣＯＮＮＥＣＴＥＤは、アクティブＤＲＸと呼ばれてもよい。アクティブＤＲＸメカニズムは端末装置がＲＲＣ接続を保持する状態でスリープ状態と起動状態との間で周期的に転換することを許可する。アクティブＤＲＸメカニズムは端末装置の接続状態を起動状態段階とスリープ状態段階に分ける。端末装置が起動状態段階にある時、該端末装置の受信アンテナをオンにすることにより、該端末装置はダウンリンクデータパケットを受信することができ、この時に端末装置の消費電力が高い。端末装置がスリープ状態段階にある時、該端末装置の受信アンテナはオフになり、該端末装置はダウンリンクデータパケットを受信できず、この時に該端末装置は節電モードにあるが、ＲＲＣ接続のコンテキストは依然として保持される。
【００８８】
本願の実施例に係る非連続受信用の信号伝送方法及び装置は、端末装置がアクティブＤＲＸの起動状態期間にダウンリンク受信ビームを選択することに必要な時間を減少させることができ、それにより該端末装置がアクティブＤＲＸの起動状態期間に該ダウンリンク受信ビームを成功裏に復号し、かつ該ダウンリンク受信ビームによりネットワーク装置から送信されたＰＤＣＣＨを受信することができる。
【００８９】
図２は、本願の実施例に係る非連続受信用のデータ伝送方法２００の概略フローチャートを示す。図２に示すように、該データ伝送方法２００は、
端末装置が、少なくとも１つのダウンリンク受信ビームにおける各ダウンリンク受信ビームの受信したネットワーク装置から送信された第１の信号を測定し、該少なくとも１つのダウンリンク受信ビームの数が、該端末装置及び該ネットワーク装置がビームフォーミングにより形成したダウンリンク受信ビームの数よりも小さいステップＳ２１０と、
該端末装置が、測定結果に基づいて、該少なくとも１つのダウンリンク受信ビームからターゲットダウンリンク受信ビームを決定するステップＳ２２０と、
該端末装置が、該ネットワーク装置に該ターゲットダウンリンク受信ビームを報告するステップＳ２３０と、
該端末装置が、該ターゲットダウンリンク受信ビームにより該ネットワーク装置から送信された物理ダウンリンク制御チャネルＰＤＣＣＨを受信するステップＳ２４０とを含む。
【００９０】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００９１】
また、本願の実施例における端末装置のダウンリンク受信ビームが、ダウンリンク受信信号又はダウンリンクチャネルであってもよい。本願の実施例がこれについて限定しない。
【００９２】
また、ネットワーク装置が送信した第１の信号が、端末装置が全てのダウンリンク受信ビームからターゲットダウンリンク受信信号を選択するために用いられ、該第１の信号が、例えばダウンリンク基準信号、一次同期信号（Ｐｒｉｍａｒｙ  Ｓｙｎｃｈｒｏｎｉｚａｔｉｏｎ  Ｓｉｇｎａｌ、ＰＳＳ）、二次同期信号（Ｓｅｃｏｎｄａｒｙ  Ｓｙｎｃｈｒｏｎｉｚａｔｉｏｎ  Ｓｉｇｎａｌ、ＳＳＳ）又は他の測定用の信号であってもよく、本願の実施例がこれについて限定しない。
【００９３】
本願の実施例に係る非連続受信用のデータ伝送方法は、該端末装置及びネットワーク装置のビームフォーミング後の複数のダウンリンク受信ビームから一部のダウンリンク受信ビームを選択して測定し、端末装置が測定する必要があるダウンリンク受信ビームの数を減少させることにより、端末装置がビームを選択することに必要な時間を減少させることができ、それにより端末装置がアクティブＤＲＸの起動状態期間にネットワーク装置から送信されたＰＤＣＣＨを成功裏に受信して復号することができることを保証する。
【００９４】
一実施例において、ステップＳ２１０の前に、該端末装置が該少なくとも１つのダウンリンク受信ビームを決定することとしてもよい。
【００９５】
具体的には、該端末装置が該少なくとも１つのダウンリンク受信ビームを決定することは、該端末装置が、該端末装置とネットワーク装置とがビームフォーミングにより形成したダウンリンク受信ビームから少なくとも１つのダウンリンク受信ビームを選択し、かつ該少なくとも１つのダウンリンク受信ビームにおける各ダウンリンク受信ビームの受信したネットワーク装置から送信された第１の信号を測定することとしてもよい。
【００９６】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【００９７】
一実施例において、該端末装置は、該少なくとも１つのダウンリンク受信ビームを自ら決定すること、又はネットワーク装置の指示に基づいて該少なくとも１つのダウンリンク受信ビームを決定することとしてもよい。本願の実施例がこれについて限定しない。
【００９８】
選択可能な実施例として、該端末装置は、空間上の異なる方向のダウンリンク受信ビームを該少なくとも１つのダウンリンク受信ビームとして決定することとしてもよい。
【００９９】
他の選択可能な実施例として、該端末装置は、ネットワーク装置から送信された第１の指示情報を受信すること、該第１の指示情報が該少なくとも１つのダウンリンク受信ビームの数を指示するために用いられ、該端末装置が該少なくとも１つのダウンリンク受信ビームの数に基づいて、該少なくとも１つのダウンリンク受信ビームを決定することとしてもよい。
【０１００】
一実施例において、ステップＳ２１０の前に、該端末装置は、第１の測定タイマーを設定することとしてもよい。該第１の測定タイマーの長さは、該端末装置がＲＲＣアクティブＤＲＸの起動状態にある持続期間よりも小さく、かつ前記端末装置は、前記ＲＲＣアクティブＤＲＸの起動状態期間に前記ＰＤＣＣＨをさらに受信して復号することができる。
【０１０１】
該端末装置が該第１の測定タイマーの持続期間内に測定した該少なくとも１つのダウンリンク受信ビームの数は、該端末装置及び該ネットワーク装置がビームフォーミングにより形成したダウンリンク受信ビームの数以上であってもよい。例えば、該第１の測定タイマーの持続期間は、該端末装置が、該端末装置とネットワーク装置とがビームフォーミングにより形成した全てのダウンリンク受信ビームを測定することに十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１０２】
また、該第１の測定タイマーの長さは、該端末装置がターゲットダウンリンク受信ビームを選択することができ、かつアクティブＤＲＸの起動状態期間に該端末装置がさらに該ＰＤＣＣＨを成功裏に受信して復号することができることを満たすべきである。
【０１０３】
また、該端末装置がアクティブＤＲＸの起動状態にある持続期間が、該端末装置のオンデュレーションタイマーＯｎ−ｄｕｒａｔｉｏｎ  Ｔｉｍｅｒの長さであってもよい。
【０１０４】
一実施例において、該端末装置がネットワーク装置の指示に基づいて該第１の測定タイマーを設定すること、又は該端末装置が該第１の測定タイマーを自ら設定することとしてもよい。本願の実施例がこれについて限定しない。
【０１０５】
選択可能な実施例として、該端末は、ターゲットダウンリンク受信ビームを決定する従来の平均持続期間を、該第１の測定タイマーの持続期間として確定することとしてもよい。
【０１０６】
他の選択可能な実施例として、該端末装置は、ネットワーク装置から送信された第２の指示情報を受信することとしてもよい。該第２の指示情報が該測定持続期間を指示するために用いられ、該端末装置は、該測定持続期間に基づいて、該第１の測定タイマーを確定する。
【０１０７】
具体的には、ステップＳ２１０において、該端末装置が、少なくとも１つのダウンリンク受信ビームにおける各ダウンリンク受信ビームの受信したネットワーク装置から送信された第１の信号を測定することは、該端末装置が該第１の測定タイマーを起動し、かつ第１のダウンリンク受信ビームの受信した該第１の信号を測定し、該第１の測定タイマーがタイムアウトしていないと、該端末装置が第２のダウンリンク受信ビームの受信した該第１の信号を測定し続け、該第１の測定タイマーがタイムアウトすると、該端末装置が測定を停止することとしてもよい。
【０１０８】
すなわち、該端末装置が、少なくとも１つのダウンリンク受信ビームにおける各ダウンリンク受信ビームの受信したネットワーク装置から送信された該第１の信号を測定することは、該端末装置が該第１の測定タイマーを起動し、該端末装置とネットワーク装置とがビームフォーミングにより形成した各ダウンリンク受信ビームの受信した該第１の信号を順次測定し、１つのダウンリンク受信ビームの受信した該第１の信号を測定するたび、該第１の測定タイマーがタイムアウトするか否かを検査し、該第１の測定タイマーがタイムアウトしていないと、端末装置が他のダウンリンク受信ビームの受信した該第１の信号を測定し続け、該第１の測定タイマーがタイムアウトすると、測定を停止することとしてもよい。
【０１０９】
該第１のダウンリンク受信ビーム及び該第２のダウンリンク受信ビームは、いずれも該端末装置及びネットワーク装置がビームフォーミングにより形成したダウンリンク受信ビームであり、かつ該第１のダウンリンク受信ビームが該第２のダウンリンク受信ビームと異なる。
【０１１０】
本願の実施例に係る非連続受信用のデータ伝送方法は、端末装置により第１の測定タイマーを設定し、かつ該第１の測定タイマーの持続期間内に、該端末装置及びネットワーク装置がビームフォーミングにより形成したダウンリンク受信ビームの受信した該第１の信号を順次測定し、ただし、該第１の測定タイマーの長さが、該端末装置がアクティブＤＲＸの起動状態にある持続期間よりも小さく、該端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【０１１１】
一実施例において、ステップＳ２１０の前に、該端末装置は信号強度閾値を決定することとしてもよい。該信号強度閾値が、該端末装置が該ＰＤＣＣＨを受信して復号することに必要な最小信号強度値以上である。
【０１１２】
該端末装置が測定した該少なくとも１つのダウンリンク受信ビームの数は、該端末装置及び該ネットワーク装置がビームフォーミングにより形成したダウンリンク受信ビームの数以上であってもよい。例えば、該信号強度閾値が高く設定されると、受信した該第１の信号の信号強度が信号強度閾値を満たすダウンリンク受信ビームが最後に測定される可能性がある。本願の実施例が、信号強度閾値を満たすダウンリンク受信ビームが測定されるまで、該端末装置が測定した該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１１３】
該信号強度閾値が該最小信号強度値以上であってもよい。
【０１１４】
一実施例において、該端末装置が該信号強度閾値を自ら設定すること、又は該端末装置がネットワーク装置の指示に基づいて該信号強度閾値を設定することとしてもよい。本願の実施例がこれについて限定しない。
【０１１５】
一実施例において、該ネットワーク装置は、該端末装置がターゲットダウンリンク受信ビームを測定して取得し、ＰＤＣＣＨを受信して復号することができる従来の平均信号強度を、該信号強度閾値として決定することとしてもよい。本願の実施例がこれについて限定しない。
【０１１６】
一実施例において、該端末装置は、ネットワーク装置から送信された第３の指示情報を受信することとしてもよい。該第３の指示情報が、該端末装置が該ＰＤＣＣＨを受信して復号することに必要な最小信号強度値を指示するために用いられ、該端末装置は、該最小信号強度値に基づいて、該信号強度閾値を決定することができる。
【０１１７】
具体的には、該ステップＳ２１０において、該端末装置が、少なくとも１つのダウンリンク受信ビームにおける各ダウンリンク受信ビームの受信したネットワーク装置から送信された第１の信号を測定することは、該端末装置が第１のダウンリンク受信ビームの受信した該第１の信号を測定し、第１の信号強度を得て、該第１の信号強度が該信号強度閾値よりも小さいと、該端末装置が第２のダウンリンク受信ビームの受信した該第１の信号を継続測定することとしてもよい。
【０１１８】
すなわち、該端末装置が、少なくとも１つのダウンリンク受信ビームにおける各ダウンリンク受信ビームの受信したネットワーク装置から送信された第１の信号を測定することは、該端末装置が、該端末装置とネットワーク装置とがビームフォーミングにより形成した各ダウンリンク受信ビームの受信した該第１の信号の信号強度を順次測定し、１つのダウンリンク受信ビームの受信した該第１の信号の信号強度を測定するたび、該信号強度が信号強度閾値の条件を満たすか否かを判断し、該信号強度が信号強度閾値条件を満たさないと、該端末装置が他のダウンリンク受信ビームを継続測定することとしてもよい。
【０１１９】
本願の実施例に係る非連続受信用のデータ伝送方法は、端末装置により信号強度閾値を設定し、該端末装置により信号強度閾値を満たすダウンリンク受信ビームが検出さえされれば、該ダウンリンク受信ビームをターゲットダウンリンク受信ビームとして決定し、該端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【０１２０】
一実施例において、ステップＳ２１０の前に、該端末装置はさらに、信号強度閾値を決定し、かつ第２の測定タイマーを起動することとしてもよい。該第２の測定タイマーの長さは、該端末装置がアクティブＤＲＸの起動状態にある持続期間よりも小さく、かつ前記端末装置は、前記アクティブＤＲＸの起動状態期間に前記ＰＤＣＣＨをさらに受信して復号することができる。
【０１２１】
具体的には、ステップＳ２１０において、該第１の信号強度が該信号強度閾値よりも小さいと、該端末装置が第２のダウンリンク受信ビームの受信した該第１の信号を測定し続けることは、該第１の信号強度が該信号強度閾値よりも小さく、かつ該第２の測定タイマーがタイムアウトしていないと、該端末装置が該第２のダウンリンク受信ビームの受信した該第１の信号を継続測定することとしてもよい。
【０１２２】
すなわち、該端末装置は、第２の測定タイマーを設定して起動することができ、該第２の測定タイマーの長さは、該端末装置がアクティブＤＲＸの起動状態にある持続期間よりも小さく、かつ前記端末装置は、前記アクティブＤＲＸの起動状態期間に前記ＰＤＣＣＨをさらに受信して復号することができ、該第２の測定タイマーの持続期間内にある限り、条件を満たすダウンリンク受信ビームが見つけられるまで、該端末装置は、該端末装置とネットワーク装置とがビームフォーミングにより形成したダウンリンク受信ビームの受信した該第１の信号を順次測定することができる。
【０１２３】
一実施例において、ステップＳ２１０の前に、該端末装置はさらに、該少なくとも１つのダウンリンク受信ビームの数を決定することとしてもよい。該少なくとも１つのダウンリンク受信ビームの数が、該端末装置及び該ネットワーク装置がビームフォーミングにより形成したダウンリンク受信ビームの数よりも小さい。
【０１２４】
具体的には、ステップＳ２１０において、該第１の信号強度が該信号強度閾値よりも小さいと、該端末装置が第２のダウンリンク受信ビームの受信した該第１の信号を測定し続けることは、該第１の信号強度が該信号強度閾値よりも小さく、かつ該端末装置が既に測定したダウンリンク受信ビームの数が該少なくとも１つのダウンリンク受信ビームの数よりも小さいと、該端末装置が該第２のダウンリンク受信ビームの受信した該第１の信号を継続測定することとしてもよい。
【０１２５】
すなわち、該端末装置は、該少なくとも１つのダウンリンク受信ビームの数を設定することができ、該少なくとも１つのダウンリンク受信ビームの数が、該端末装置及び該ネットワーク装置がビームフォーミングにより形成したダウンリンク受信ビームの数よりも小さく、該端末装置が測定したダウンリンク受信ビームの数が、該端末装置が決定した該少なくとも１つのダウンリンク受信ビームの数を超えず、信号強度閾値条件を満たすダウンリンク受信ビームが見つけられるまで、該端末装置は、該端末装置とネットワーク装置とがビームフォーミングにより形成したダウンリンク受信ビームの受信した該第１の信号を順次測定することができる。
【０１２６】
具体的には、ステップＳ２２０において、該端末装置が、測定結果に基づいて、該少なくとも１つのダウンリンク受信ビームからターゲットダウンリンク受信ビームを決定することは、該端末装置が該少なくとも１つのダウンリンク受信ビームにおける各ダウンリンク受信ビームの受信した該第１の信号の信号強度のうち信号強度が最も強いダウンリンク受信ビームを該ターゲットダウンリンク受信ビームとして決定することとしてもよい。
【０１２７】
一実施例において、ステップＳ２１０において、該第１の信号強度が該信号強度閾値以上であると、該端末装置が測定を停止する。該端末装置が、測定結果に基づいて、該少なくとも１つのダウンリンク受信ビームからターゲットダウンリンク受信ビームを決定することは、端末装置が該第１のダウンリンク受信ビームを該ターゲットダウンリンク受信ビームとして決定することとしてもよい。
【０１２８】
該端末装置がダウンリンク受信ビームの受信した第１の信号を測定することは、ダウンリンク受信ビームの受信した該第１の信号の信号強度又は信号品質を測定することとしてもよく、本願の実施例がこれについて限定しない。
【０１２９】
すなわち、該端末装置により１つのダウンリンク受信ビームの受信した該第１の信号の信号強度が信号強度閾値を満たすと検出さえされれば、該第２の測定タイマーがタイムアウトするか否か、そして該少なくとも１つのダウンリンク受信ビームにおける各ダウンリンク受信ビームが全部測定されるか否かにかかわらず、該端末装置は該ダウンリンク受信ビームを該ターゲットダウンリンク受信ビームとして決定する。
【０１３０】
上記各プロセスの番号は実行順序の先後を意味するものではなく、各プロセスの実行順序はその機能及び内部論理による決定され、本願の実施例の実施過程を何ら限定するものではない。
【０１３１】
図３は、本願の実施例に係る他の非連続受信用のデータ伝送方法３００の概略フローチャートを示す。図３に示すように、該方法３００は、
ネットワーク装置が、端末装置に測定するための第１の信号及び指示情報を送信し、該指示情報が、該端末装置に、該第１の信号を測定することにより、少なくとも１つのダウンリンク受信ビームからターゲットダウンリンク受信ビームを決定するように指示するために用いられ、ただし、該少なくとも１つのダウンリンク受信ビームの数が、該ネットワーク装置及び端末装置がビームフォーミングにより形成したダウンリンク受信ビームの数よりも小さいステップＳ３１０と、
該ネットワーク装置が、該端末装置が該第１の信号及び該指示情報に基づいて報告したターゲットダウンリンク受信ビームを受信するステップＳ３２０と、
該ネットワーク装置が、該ターゲットダウンリンク受信ビームにより該端末装置に物理ダウンリンク制御チャネルＰＤＣＣＨを送信するステップＳ３３０とを含む。
【０１３２】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１３３】
本願の実施例に係る非連続受信用のデータ伝送方法は、ネットワーク装置により端末装置に測定するための第１の信号及び、該端末装置に少なくとも１つのダウンリンク受信ビームからターゲットダウンリンク受信ビームを決定するように指示するための指示情報を送信し、ただし、該少なくとも１つのダウンリンク受信ビームの数が、該ネットワーク装置及び端末装置がビームフォーミングにより形成したダウンリンク受信ビームの数よりも小さく、端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができる。
【０１３４】
ネットワーク装置が送信した第１の信号が、端末装置が全てのダウンリンク受信ビームからターゲットダウンリンク受信信号を選択するために用いられ、該第１の信号が、例えばダウンリンク基準信号、一次同期信号（Ｐｒｉｍａｒｙ  Ｓｙｎｃｈｒｏｎｉｚａｔｉｏｎ  Ｓｉｇｎａｌ、ＰＳＳ）、二次同期信号（Ｓｅｃｏｎｄａｒｙ  Ｓｙｎｃｈｒｏｎｉｚａｔｉｏｎ  Ｓｉｇｎａｌ、ＳＳＳ）又は他の測定用の信号であってもよく、本願の実施例がこれについて限定しない。
【０１３５】
一実施例において、該ネットワーク装置が端末装置に送信した指示情報は、第１の指示情報を含むことができ、該第１の指示情報は、少なくとも１つのダウンリンク受信ビームの数を指示するために用いられ、該少なくとも１つのダウンリンク受信ビームの数が、該端末装置及び該ネットワーク装置がビームフォーミングにより形成したダウンリンク受信ビームの数よりも小さい。
【０１３６】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１３７】
本願の実施例に係る非連続受信用のデータ伝送方法は、端末装置に少なくとも１つのダウンリンク受信ビームの数を指示するための指示情報を送信することにより、該少なくとも１つのダウンリンク受信ビームが、該端末装置及び該ネットワーク装置がビームフォーミングにより形成したダウンリンク受信ビームの一部であり、それにより該端末装置が該少なくとも１つのダウンリンク受信ビームにおける各ダウンリンク受信ビームの受信した該第１の信号を測定することにより、ターゲットダウンリンク受信ビームを決定することができ、端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【０１３８】
一実施例において、該ネットワーク装置が端末装置に送信した指示情報は、第２の指示情報をさらに含むこととしてもよい。該第２の指示情報は、測定持続期間を指示するために用いられ、該測定持続期間が、該端末装置がアクティブＤＲＸの起動状態にある持続期間よりも小さく、かつ前記端末装置が前記アクティブＤＲＸの起動状態期間に前記ＰＤＣＣＨをさらに受信して復号することができる。
【０１３９】
該端末装置が該第１の測定タイマーの持続期間内に測定した該少なくとも１つのダウンリンク受信ビームの数は、該端末装置及び該ネットワーク装置がビームフォーミングにより形成したダウンリンク受信ビームの数以上であってもよい。例えば、該第１の測定タイマーの持続期間は、該端末装置が該端末装置とネットワーク装置とがビームフォーミングにより形成した全てのダウンリンク受信ビームを測定することに十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１４０】
一実施例において、該ネットワーク装置は、該端末装置がターゲットダウンリンク受信ビームを決定する従来の平均持続期間を、該第１の測定タイマーの持続期間として決定することとしてもよい。本願の実施例がこれについて限定しない。
【０１４１】
本願に係る非連続受信用のデータ伝送方法は、ネットワーク装置により端末装置に測定持続期間を指示するための指示情報を送信することにより、該端末装置が該測定持続期間に基づいて第１の測定タイマーを決定し、かつ該第１の測定タイマーの持続期間内に、該端末装置及びネットワーク装置がビームフォーミングにより形成したダウンリンク受信ビームの受信した該第１の信号を順次測定し、該第１の測定タイマーの長さが、該端末装置がアクティブＤＲＸの起動状態にある持続期間よりも小さく、該端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【０１４２】
一実施例において、該端末装置がアクティブＤＲＸの起動状態にある持続期間が、該端末装置のオンデュレーションタイマーＯｎ−ｄｕｒａｔｉｏｎ  Ｔｉｍｅｒの長さであってもよい。
【０１４３】
一実施例において、該ネットワーク装置が端末装置に送信した指示情報は、第３の指示情報をさらに含むこととしてもよい。該第３の指示情報は、該端末装置が該ＰＤＣＣＨを受信して復号することに必要な最小信号強度値を指示するために用いられる。
【０１４４】
該端末装置が測定した該少なくとも１つのダウンリンク受信ビームの数は、該端末装置及び該ネットワーク装置がビームフォーミングにより形成したダウンリンク受信ビームの数以上であってもよい。例えば、該信号強度閾値が高く設定されると、受信した該第１の信号の信号強度が信号強度閾値を満たすダウンリンク受信ビームが最後に測定される可能性がある。本願の実施例が、信号強度閾値を満たすダウンリンク受信ビームが測定されるまで、該端末装置が測定した該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１４５】
一実施例において、該ネットワーク装置は、該端末装置がターゲットダウンリンク受信ビームを測定して取得し、ＰＤＣＣＨを受信して復号することができる従来の平均信号強度を、該信号強度閾値として決定することとしてもよい。本願の実施例がこれについて限定しない。
【０１４６】
本願の実施例に係る非連続受信用のデータ伝送方法は、ネットワーク装置により端末装置に、該端末装置が該ＰＤＣＣＨを受信して復号することに必要な最小信号強度値を指示するための指示情報を送信することにより、該端末装置が該最小信号強度値に基づいて、信号強度閾値を決定し、それにより該端末装置により受信した該第１の信号の信号強度が該信号強度閾値よりも大きいダウンリンク受信ビームが検出さえされれば、該ダウンリンク受信ビームをターゲットダウンリンク受信ビームとして決定することができ、端末装置がダウンリンク受信ビームを選択することに必要な時間を減少させることができ、それにより端末装置がアクティブＤＲＸの起動状態期間にネットワーク装置から送信されたＰＤＣＣＨを成功裏に受信して復号することができることを保証する。
【０１４７】
一実施例において、本願の実施例におけるネットワーク装置が送信した指示情報は、第１の指示情報、第２の指示情報及び第３の指示情報のうち少なくとも１つを含むこととしてもよい。それにより該端末装置が該指示情報に基づいてターゲットダウンリンク受信ビームを決定することができる。本願の実施例がこれについて限定しない。
【０１４８】
上記各プロセスの番号は実行順序の先後を意味するものではなく、各プロセスの実行順序はその機能及び内部論理で決定され、本願の実施例の実施過程を何ら限定するものではない。
【０１４９】
以上の説明は図１及び図３を参照しながら、本願の実施例に係る非連続受信用のデータ伝送方法を詳細に説明し、以下、図４及び図７を参照しながら、本願の実施例に係る非連続受信用のデータ伝送装置を詳細に説明する。
【０１５０】
図４は、本願の実施例に係る非連続受信用のデータ伝送装置４００を示す。該データ伝送装置４００は、
少なくとも１つのダウンリンク受信ビームにおける各ダウンリンク受信ビームの受信したネットワーク装置から送信された第１の信号を測定するために用いられ、該少なくとも１つのダウンリンク受信ビームの数が、端末装置及び該ネットワーク装置がビームフォーミングにより形成したダウンリンク受信ビームの数よりも小さい測定ユニット４１０と、
該測定ユニット４１０が測定した測定結果に基づいて、該少なくとも１つのダウンリンク受信ビームからターゲットダウンリンク受信ビームを決定するために用いられる決定ユニット４２０と、
該ネットワーク装置に該決定ユニット４２０が決定した該ターゲットダウンリンク受信ビームを報告するために用いられる送信ユニット４３０と、
該決定ユニット４２０が決定した該ターゲットダウンリンク受信ビームにより該ネットワーク装置から送信された物理ダウンリンク制御チャネルＰＤＣＣＨを受信するために用いられる受信ユニット４４０とを含む。
【０１５１】
一実施例において、該少なくとも１つのダウンリンク受信ビームの数を、該端末装置及び該ネットワーク装置がビームフォーミングにより形成したダウンリンク受信ビームの数よりも小さくしてもよい。
【０１５２】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１５３】
一実施例において、該決定ユニットはさらに、少なくとも１つのダウンリンク受信ビームにおける各ダウンリンク受信ビームの受信したネットワーク装置から送信された第１の信号を測定する前に、該少なくとも１つのダウンリンク受信ビームを決定するために用いられる。
【０１５４】
一実施例において、該決定ユニットは、具体的には、該ネットワーク装置から送信された第１の指示情報を受信し、該第１の指示情報が該少なくとも１つのダウンリンク受信ビームの数を指示するために用いられ、該少なくとも１つのダウンリンク受信ビームの数が、該端末装置及び該ネットワーク装置がビームフォーミングにより形成したダウンリンク受信ビームの数よりも小さく、該少なくとも１つのダウンリンク受信ビームの数に基づいて、該少なくとも１つのダウンリンク受信ビームを決定するために用いられる。
【０１５５】
一実施例において、該データ伝送装置は、タイミングユニットをさらに含み、該タイミングユニットは、少なくとも１つのダウンリンク受信ビームにおける各ダウンリンク受信ビームの受信したネットワーク装置から送信された第１の信号を測定する前に、第１の測定タイマーを決定し、該第１の測定タイマーの長さが、該端末装置がアクティブＤＲＸの起動状態にある持続期間よりも小さく、かつ該端末装置が該アクティブＤＲＸの起動状態期間に該ＰＤＣＣＨをさらに受信して復号することができ、該第１の測定タイマーを起動するために用いられ、該測定ユニットは、具体的には、第１のダウンリンク受信ビームの受信した該第１の信号を測定し、該第１の測定タイマーがタイムアウトしていないと、第２のダウンリンク受信ビームの受信した該第１の信号を測定し続け、該第１の測定タイマーがタイムアウトすると、測定を停止するために用いられる。
【０１５６】
一実施例において、該決定ユニットは、具体的には、該ネットワーク装置から送信された第２の指示情報を受信し、該第２の指示情報が測定持続期間を指示するために用いられ、該測定持続期間が、該端末装置がアクティブＤＲＸの起動状態にある持続期間よりも小さく、該測定持続期間に基づいて、該第１の測定タイマーを決定するために用いられる。
【０１５７】
一実施例において、該端末装置がアクティブＤＲＸの起動状態にある持続期間は、該端末装置のオンデュレーションタイマーＯｎ−ｄｕｒａｔｉｏｎ  Ｔｉｍｅｒの長さである。
【０１５８】
一実施例において、該決定ユニットはさらに、少なくとも１つのダウンリンク受信ビームにおける各ダウンリンク受信ビームの受信したネットワーク装置から送信された第１の信号を測定する前に、信号強度閾値を決定するために用いられ、該信号強度閾値が、該端末装置が該ＰＤＣＣＨを受信して復号することに必要な最小信号強度値以上であり、該測定ユニットは、具体的には、第１のダウンリンク受信ビームの受信した該第１の信号を測定し、第１の信号強度を得て、該第１の信号強度が該信号強度閾値よりも小さいと、第２のダウンリンク受信ビームの受信した該第１の信号を継続測定するために用いられる。
【０１５９】
一実施例において、該データ伝送装置は、タイミングユニットをさらに含み、該タイミングユニットは、少なくとも１つのダウンリンク受信ビームにおける各ダウンリンク受信ビームの受信したネットワーク装置から送信された第１の信号を測定する前に、第２の測定タイマーを起動するために用いられ、該第２の測定タイマーの長さが、該端末装置がアクティブＤＲＸの起動状態にある持続期間よりも小さく、かつ該端末装置が該アクティブＤＲＸの起動状態期間に該ＰＤＣＣＨをさらに受信して復号することができ、該測定ユニットは、具体的には、該第１の信号強度が該信号強度閾値よりも小さく、かつ該第２の測定タイマーがタイムアウトしていないと、該第２のダウンリンク受信ビームの受信した該第１の信号を測定し続けるために用いられる。
【０１６０】
一実施例において、該決定ユニットはさらに、少なくとも１つのダウンリンク受信ビームにおける各ダウンリンク受信ビームの受信したネットワーク装置から送信された第１の信号を測定する前に、該少なくとも１つのダウンリンク受信ビームの数を決定するために用いられ、該少なくとも１つのダウンリンク受信ビームの数が、該端末装置及び該ネットワーク装置がビームフォーミングにより形成したダウンリンク受信ビームの数よりも小さく、該測定ユニットは、具体的には、該第１の信号強度が該信号強度閾値よりも小さく、かつ該端末装置が既に測定したダウンリンク受信ビームの数が該少なくとも１つのダウンリンク受信ビームの数よりも小さいと、該第２のダウンリンク受信ビームの受信した該第１の信号を継続測定するために用いられる。
【０１６１】
一実施例において、該測定ユニットはさらに、該第１の信号強度が該信号強度閾値以上であると、測定を停止するために用いられ、該決定ユニットは、具体的には、該第１のダウンリンク受信ビームを該ターゲットダウンリンク受信ビームとして決定するために用いられる。
【０１６２】
一実施例において、該決定ユニットは、具体的には、該ネットワーク装置から送信された第３の指示情報を受信し、該第３の指示情報が、該端末装置が該ＰＤＣＣＨを受信して復号することに必要な最小信号強度値を指示するために用いられ、該最小信号強度値に基づいて、該信号強度閾値を決定するために用いられる。
【０１６３】
選択可能な実施例において、当業者であれば、データ伝送装置４００が具体的には上記方法２００における端末装置であってもよく、データ伝送装置４００が上記方法２００における端末装置に対応する各フロー及び／又はステップを実行するために用いられてもよい。重複を避けるために、ここで詳細な説明を省略する。
【０１６４】
図５は、本願の実施例に係る他の非連続受信用のデータ伝送装置５００を示す。該データ伝送装置５００は、
端末装置に測定するための第１の信号及び指示情報を送信するために用いられ、該指示情報が、該端末装置に、該第１の信号を測定することにより、少なくとも１つのダウンリンク受信ビームからターゲットダウンリンク受信ビームを決定するように指示するために用いられ、該少なくとも１つのダウンリンク受信ビームの数が、該ネットワーク装置及び端末装置がビームフォーミングにより形成したダウンリンク受信ビームの数よりも小さい送信ユニット５１０と、
該端末装置が該送信ユニット５１０から送信された該第１の信号及び該指示情報に基づいて報告した該ターゲットダウンリンク受信ビームを受信するために用いられる受信ユニット５２０とを含み、
該送信ユニット５１０はさらに、該受信ユニット５２０が受信した該ターゲットダウンリンク受信ビームにより該端末装置に物理ダウンリンク制御チャネルＰＤＣＣＨを送信するために用いられる。
【０１６５】
一実施例において、該少なくとも１つのダウンリンク受信ビームの数を、該端末装置及び該ネットワーク装置がビームフォーミングにより形成したダウンリンク受信ビームの数よりも小さくしてもよい。
【０１６６】
端末装置が測定した少なくとも１つのダウンリンク受信ビームの数は、該端末装置及び該ネットワーク装置がビームフォーミングにより形成したダウンリンク受信ビームの数以上であってもよい。例えば、アクティブＤＲＸの起動状態期間に、該端末装置は、該端末装置とネットワーク装置とがビームフォーミングにより形成した全てのダウンリンク受信ビームを測定し、かつターゲットダウンリンク受信ビームを決定した後に、ＰＤＣＣＨを受信して復号する時間が依然として十分である。本願の実施例は、該少なくとも１つのダウンリンク受信ビームの数が、該端末装置及び該ネットワーク装置がビームフォーミングにより形成したダウンリンク受信ビームの数よりも小さい場合だけを例として、本願の各実施例を説明するが、本願の実施例がこれに限定されない。
【０１６７】
一実施例において、指示情報は、第１の指示情報を含むことができ、該第１の指示情報は、少なくとも１つのダウンリンク受信ビームの数を指示するために用いられ、該少なくとも１つのダウンリンク受信ビームの数が、該端末装置及びネットワーク装置がビームフォーミングにより形成したダウンリンク受信ビームの数よりも小さい。
【０１６８】
一実施例において、該指示情報は、第２の指示情報をさらに含むことができ、該第２の指示情報は、測定持続期間を指示するために用いられ、該測定持続期間が、該端末装置がアクティブＤＲＸの起動状態にある持続期間よりも小さく、かつ該端末装置が該アクティブＤＲＸの起動状態期間に該ＰＤＣＣＨをさらに受信して復号することができる。
【０１６９】
一実施例において、該端末装置がアクティブＤＲＸの起動状態にある持続期間は、該端末装置のオンデュレーションタイマーＯｎ−ｄｕｒａｔｉｏｎ  Ｔｉｍｅｒの長さである。
【０１７０】
一実施例において、該指示情報は、第３の指示情報をさらに含むことができ、該第３の指示情報は、該端末装置が該ＰＤＣＣＨを受信して復号することに必要な最小信号強度値を指示するために用いられる。
【０１７１】
一実施例において、本願の実施例におけるネットワーク装置が送信した指示情報は、第１の指示情報、第２の指示情報及び第３の指示情報のうち少なくとも１つを含むこととしてもよい。本願の実施例がこれについて限定しない。
【０１７２】
選択可能な実施例において、当業者であれば、データ伝送装置５００が具体的には上記方法３００におけるネットワーク装置であってもよく、データ伝送装置５００が上記方法３００におけるネットワーク装置に対応する各フロー及び／又はステップを実行するために用いられてもよいと理解すべきである。重複を避けるために、ここで詳細な説明を省略する。
【０１７３】
本明細書のデータ伝送装置４００及びデータ伝送装置５００が機能ユニット形式で具現化される。本明細書では、用語「ユニット」は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ又は複数のソフトウェア又はファームウエアプログラムを実行するためのプロセッサ（例えば共有プロセッサ、専用プロセッサ又はプロセッサセットなど）及びメモリ、マージ論理回路及び／又は他の説明される機能を備えた適切なコンポーネントを指す。
【０１７４】
図６は、本願の実施例に係るデータ伝送装置６００の概略ブロック図である。図６に示すように、該データ伝送装置６００は、プロセッサ６１０と、受送信装置６２０とを含む。
【０１７５】
該プロセッサ６１０は、具体的には、少なくとも１つのダウンリンク受信ビームにおける各ダウンリンク受信ビームの受信したネットワーク装置から送信された第１の信号を測定し、該少なくとも１つのダウンリンク受信ビームの数が、端末装置及び該ネットワーク装置がビームフォーミングにより形成したダウンリンク受信ビームの数よりも小さく、該測定結果に基づいて、該少なくとも１つのダウンリンク受信ビームからターゲットダウンリンク受信ビームを決定するために用いられる。
【０１７６】
受送信装置６２０は、具体的には、該ネットワーク装置に該ターゲットダウンリンク受信ビームを報告し、該ターゲットダウンリンク受信ビームにより該ネットワーク装置から送信された物理ダウンリンク制御チャネルＰＤＣＣＨを受信するために用いられる。
【０１７７】
選択可能な実施例において、当業者であれば、データ伝送装置６００が具体的には上記方法２００における端末装置であってもよく、データ伝送装置６００が上記方法２００における端末装置に対応する各フロー及び／又はステップを実行するために用いられてもよいと理解すべきである。重複を避けるために、ここで詳細な説明を省略する。
【０１７８】
一実施例において、データ伝送装置６００は、メモリをさらに含むこととしてもよい。該メモリがリードオンリーメモリ及びランダムアクセスメモリを含み、かつプロセッサにコマンド及びデータを提供する。メモリの一部は、非揮発性ランダムアクセスメモリをさらに含むとしてもよい。例えば、メモリはさらに、装置タイプの情報を記憶することができる。該プロセッサ６１０はメモリに記憶されたコマンドを実行するために用いられ、かつ該プロセッサが該コマンドを実行する時、該プロセッサは上記方法の実施例における端末装置に対応する各ステップを実行することができる。
【０１７９】
図７は、本願の実施例に係るデータ伝送装置７００の概略ブロック図である。図７に示すように、該データ伝送装置７００は、プロセッサ７１０と、受送信装置７２０とを含む。
【０１８０】
プロセッサ７１０は、端末装置に測定するための第１の信号及び指示情報を送信することを決定するために用いられる。
【０１８１】
受送信装置７２０は、該端末装置に測定するための該第１の信号及び該指示情報を送信するために用いられ、該指示情報が、該端末装置に、該第１の信号を測定することにより、少なくとも１つのダウンリンク受信ビームからターゲットダウンリンク受信ビームを決定するように指示するために用いられ、該少なくとも１つのダウンリンク受信ビームの数が、該ネットワーク装置及び端末装置がビームフォーミングにより形成したダウンリンク受信ビームの数よりも小さく、受送信装置７２０はさらに、該端末装置が該第１の信号及び該指示情報に基づいて報告した該ターゲットダウンリンク受信ビームを受信するために用いられる。
【０１８２】
受送信装置７２０はさらに、該ターゲットダウンリンク受信ビームにより該端末装置に物理ダウンリンク制御チャネルＰＤＣＣＨを送信するために用いられる。
【０１８３】
選択可能な実施例において、当業者であれば、データ伝送装置７００が具体的には上記方法３００におけるネットワーク装置であってもよく、データ伝送装置７００が上記方法３００におけるネットワーク装置に対応する各フロー及び／又はステップを実行するために用いられると理解すべきである。重複を避けるために、ここで詳細な説明を省略する。
【０１８４】
一実施例において、データ伝送装置７００は、メモリをさらに含むこととしてもよい。該メモリがリードオンリーメモリ及びランダムアクセスメモリを含み、かつプロセッサにコマンド及びデータを提供する。メモリの一部は、非揮発性ランダムアクセスメモリをさらに含むとしてもよい。例えば、メモリはさらに、装置タイプの情報を記憶することができる。該プロセッサ７１０はメモリに記憶されたコマンドを実行するために用いられ、かつ該プロセッサが該コマンドを実行する時、該プロセッサは上記方法の実施例におけるネットワーク装置に対応する各ステップを実行することができる。
【０１８５】
本願の実施例において、プロセッサは中央処理装置（Ｃｅｎｔｒａｌ  Ｐｒｏｃｅｓｓｉｎｇ  Ｕｎｉｔ、ＣＰＵ）であってもよく、プロセッサは、さらに他の汎用プロセッサ、デジタル信号プロセッサ（ＤＳＰ）、特定用途向け集積回路（ＡＳＩＣ）、フィールドプログラム可能ゲートアレイ（ＦＰＧＡ）又は他のプログラム可能論理デバイス、ディスクリートゲート又はトランジスタ論理デバイス、ディスクリートハードウェアコンポーネントなどであってもよいと理解すべきである。汎用プロセッサはマイクロプロセッサであってもよく、又は該プロセッサは任意の従来のプロセッサなどであってもよい。
【０１８６】
実現過程において、上記方法の各ステップはプロセッサにおけるハードウェアの集積論理回路又はソフトウェア形式のコマンドにより完了することができる。本願の実施例に開示された方法を組み合わせるステップは、ハードウェアプロセッサの実行、又はプロセッサにおけるハードウェア及びソフトウェアモジュールの組み合わせにより直接完了する。該ソフトウェアモジュールはランダムメモリ、フラッシュメモリ、リードオンリーメモリ、プログラム可能リードオンリーメモリ又は電気的消去プログラム可能メモリ、レジスタなどの当該技術分野の成熟した記憶媒体に位置することができる。該記憶媒体はメモリに位置し、プロセッサはメモリにおけるコマンドを実行し、そのハードウェアと組み合わせて上記方法のステップを完了する。重複を避けるため、ここでは詳細に説明しない。
【０１８７】
本明細書において用語「及び／又は」は、関連対象の関連関係を説明するものであり、３つの関係が存在することを表し、例えば、Ａ及び／又はＢは、Ａが単独に存在し、Ａ及びＢが存在し、Ｂが単独に存在するという３種類を表すと理解すべきである。また、本明細書において符号「／」は、一般的に前後の関連対象が「又は」関係であることを示す。
【０１８８】
本願の各実施例において、上記各プロセスの番号は実行順序の先後を意味するものではなく、各プロセスの実行順序はその機能及び内部論理で決定され、本願の実施例の実施過程を何ら限定するものではないと理解すべきである。
【０１８９】
当業者が分かるように、本明細書に開示された実施例を参照しながら説明した各例のユニット及びアルゴリズムステップが、電子ハードウェア、又はコンピュータソフトウェア及び電子ハードウェアの組み合わせで実現することができる。これらの機能がハードウェア又はソフトウェアで実行されるかは、技術的解決手段の特定のアプリケーション及び設計制約条件に依存する。当業者は各特定のアプリケーションに対して異なる方法を用いて説明された機能を実現することができるが、このような実現は本願の範囲を超えると考えられるべきではない。
【０１９０】
当業者に自明なように、説明の利便さ及び簡素化から、上記説明されたシステム、装置及びユニットの具体的な作動過程については、前述方法実施例における対応過程を参照すればよいため、ここで詳細な説明を省略する。
【０１９１】
本願に係るいくつかの実施例に開示されるシステム、装置及び方法は、他の形態により実現することもできると理解すべきである。例えば、以上に説明された装置の実施例は例示的なものにすぎない。例えば、前記ユニットの分割は、論理機能上の分割にすぎず、実施する際に他の形態で分割することもでき、例えば、複数のユニット又はコンポーネントを他のシステムに組み合わせもしくは集積させたり、又は一部の特徴を反映させず、実行しなかったりしてもよい。また、説明又は検討した相互の結合又は直接的な結合又は通信接続は、いくつかのインタフェース、装置又はユニットを用いる間接的接続又は通信接続とすることもでき、電気的形態、機械的形態又はその他の形態とすることもできる。
【０１９２】
前記分離部材として説明されるユニットは、物理的に分離されるものでもよければ、分離されないものであってもよい。ユニットとして示される部材は、物理的なユニットであってもよいが、物理的なユニットでなくてもよい。すなわち、同一の場所に設けられるものであってもよいが、複数のネットワークユニットに配置されるものであってもよい。必要に応じて、一部のユニットだけを用いるか、又は全てのユニットを使用して本願の各実施例の目的を達成することができる。
【０１９３】
また、本願の各実施例において、各機能ユニットが１つの処理ユニットに集積されてもよいが、各ユニットが単独で物理的な部材として存在するか、又は２つ以上のユニットが１つのユニットに集積されてもよい。
【０１９４】
ソフトウェアの機能ユニットの形で実現された前記機能は、独立した製品として販売されるか又は使用される時に、コンピュータ可読記憶媒体に記憶されてもよい。このような理解に基づき、本願の技術的解決手段の本質的に従来技術に貢献する部分又は該技術的解決手段の部分はソフトウェア製品の形式で表すことができ、該コンピュータソフトウェア製品は記憶媒体に記憶され、コンピュータ装置（例えばパソコン、サーバ、又はネットワーク装置など）に本願の各実施例の前記方法の全部又は一部のステップを実行させるのに用いる若干のコマンドを含む。前記記憶媒体は、ＵＳＢフラッシュドライブ、モバイルハードディスクドライブ、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又はコンパクトディスクなどの、プログラムコードを記憶できる様々な媒体を含む。
【０１９５】
本明細書に記載される内容は、本願の具体的な実施形態にすぎず、本願の保護範囲はこれに限定されない。当業者が本発明に開示される技術範囲において容易に想到し得る変更や置換などは、いずれも本発明の保護範囲に含まれる。これにより、本発明の保護範囲は、特許請求の範囲に記載の内容に準拠する。
【図１】
0006888093.tif 000002
【図２】
0006888093.tif 000003
【図３】
0006888093.tif 000004
【図４】
0006888093.tif 000005
【図５】
0006888093.tif 000006
【図６】
0006888093.tif 000007
【図７】
0006888093.tif 000008